(57)【要約】【課題】  身体の背面について、小さな力によっても大きな力で押圧することができるマッサージ具の提供。【解決手段】  マッサージ具は、身体の正面から肩口を通って背面に至る経路に沿って伸びるよう湾曲した形状を有するハンドルと、当該ハンドルの先端に連続して、前記経路に前記ハンドルを沿わせたときに身体の背面にあてがわれる状態となるよう設けられた押圧子とよりなり、前記経路に前記ハンドルを沿わせ、前記ハンドルの後端を身体の正面において保持したときに、当該ハンドルの後端を支点として、前記ハンドルにおいて任意に選択される力点に身体の正面方向に向かう力を作用させることにより、前記押圧子によって身体の背面を押圧することができることを特徴とする。【選択図】  図１
2009279020.tif 000002
【特許請求の範囲】
【請求項１】
身体の正面から肩口を通って背面に至る経路に沿って伸びるよう湾曲した形状を有するハンドルと、当該ハンドルの先端に連続して、前記経路に前記ハンドルを沿わせたときに身体の背面にあてがわれる状態となるよう設けられた押圧子とよりなり、
前記経路に前記ハンドルを沿わせ、前記ハンドルの後端を身体の正面において保持したときに、当該ハンドルの後端を支点として、前記ハンドルにおいて任意に選択される力点に身体の正面方向に向かう力を作用させることにより、前記押圧子によって身体の背面を押圧することができることを特徴とするマッサージ具。
【請求項２】
前記押圧子は、平板状の基台上に複数の鋸歯状の突起が形成されてなるものであることを特徴とする請求項１に記載のマッサージ具。
【請求項３】
前記ハンドルの後端に、球体状の突起が設けられていることを特徴とする請求項１または請求項２に記載のマッサージ具。
【請求項４】
前記ハンドルの内側面に、その外径が当該ハンドルの径よりも小さい突起が設けられていることを特徴とする請求項１〜請求項３のいずれかに記載のマッサージ具。
【請求項５】
前記ハンドルが、分解可能に構成されていることを特徴とする請求項１〜請求項４のいずれかに記載のマッサージ具。
【発明の詳細な説明】
【技術分野】
【０００１】
本発明は身体の患部に押圧させる押圧子を有する手動式のマッサージ具に関する。
【背景技術】
【０００２】
一般的に、日常生活において背中や首の後ろなどの部位は凝りやすく、これらの患部を押圧するマッサージ具として、電動式のものや手動式のものが普及している。これらのうち、手動式のマッサージ具としては、例えば、ハンドル（マッサージ具本体）と、ボールまたはローラなどの押圧子（マッサージヘッド）とを有するものなどが知られている。
然るに、背中や首の後ろなどは当然ながら押圧しにくい部位であり、しかも、肩凝りなどの症状が出ている人は、通常、手を身体の背面側へ動かしにくく、使用者自身でマッサージ具を操作してこれを患部に的確にあてがうことが困難であり、また、患部の箇所によっては大きな力で押圧することができない、という問題があった。
【０００３】
このような問題を解決するために、弓状のハンドルを有し、押圧子が背中にある状態において、手で力を加える部分が身体の正面に位置される構成のマッサージ具が提案されている（特許文献１参照。）。
このようなマッサージ具によっては、手を身体の背面にまわす必要が生じず、さらに身体の正面において力を加えることができるので、患部を押圧するための力を加えやすい、という利点がある。
【０００４】
しかしながら、上記のマッサージ具によっても、使用者が患部への所望の押圧力と同じ大きさの力をこのマッサージ具自体に加えなければならず、このようなマッサージ具は、特に力の弱い若年者や老人にとって利便性に劣ったものである、という問題がある。
【０００５】
【特許文献１】実用新案登録第２５２０９６４号公報
【発明の開示】
【発明が解決しようとする課題】
【０００６】
本発明は、以上のような事情に基づいてなされたものであって、その目的は、身体の背面について、小さな力によっても大きな力で押圧することができるマッサージ具を提供することにある。
【課題を解決するための手段】
【０００７】
本発明のマッサージ具は、身体の正面から肩口を通って背面に至る経路に沿って伸びるよう湾曲した形状を有するハンドルと、当該ハンドルの先端に連続して、前記経路に前記ハンドルを沿わせたときに身体の背面にあてがわれる状態となるよう設けられた押圧子とよりなり、
前記経路に前記ハンドルを沿わせ、前記ハンドルの後端を身体の正面において保持したときに、当該ハンドルの後端を支点として、前記ハンドルにおいて任意に選択される力点に身体の正面方向に向かう力を作用させることにより、前記押圧子によって身体の背面を押圧することができることを特徴とする。
【０００８】
本発明のマッサージ具においては、前記押圧子は、平板状の基台上に複数の鋸歯状の突起が形成されてなる構成とすることができる。
【０００９】
また、本発明のマッサージ具においては、前記ハンドルの後端に、球体状の突起が設けられていることが好ましい。
また、前記ハンドルの内側面に、その外径が当該ハンドルの径よりも小さい突起が設けられていることが好ましい。
【００１０】
さらに、本発明のマッサージ具においては、前記ハンドルが、分解可能に構成されていることが好ましい。
【発明の効果】
【００１１】
本発明のマッサージ具によれば、身体の正面から肩口を通って背面に至る経路に沿って伸びるよう湾曲した形状を有するハンドルを有するために、前記経路にハンドルを沿わせ、当該ハンドルの後端を身体の正面において保持し、これを支点として、当該支点から離間したハンドル上の点を任意に力点に選択し、当該力点に身体の正面方向に向かう力を作用させることにより、てこの原理により押圧子が作用点となって身体の背面を小さな力によっても大きな力で押圧することができ、結局、軽く操作するだけで強いマッサージ効果が得られるために、特に力の弱い若年者や老人にとって、高い利便性が得られる。
【００１２】
また、押圧子が平板状の基台上に複数の鋸歯状の突起が形成されてなる構成によれば、広範囲にわたって押圧することができるために、視認することのできない身体の背面であっても、所望の部位を確実に押圧することができる。
さらに、ハンドルが分解可能である構成によれば、当該マッサージ具を分解したときに十分に小型のものとなるよう構成することができるので、収納を良好に行うことができ、また、運搬に便利でこれを携帯して必要なときにマッサージを行うことができる。
【発明を実施するための最良の形態】
【００１３】
以下、本発明について、図面を参照して説明する。
図１〜図７は、本発明のマッサージ具の一例における構成を示す説明図であって、図１が正面図、図２が右側面図、図３が左側面図、図４が平面図、図５が底面図であり、図６が斜視図、図７が分解斜視図である。
このマッサージ具１０は、身体の正面から肩口を通って背面に至る経路に沿って伸びるよう湾曲した形状を有する、マッサージ具本体であるハンドル１１と、当該ハンドル１１の先端に連続して、前記経路にハンドル１１を沿わせたときに身体の背面にあてがわれる状態となるよう設けられた押圧子であるマッサージヘッド１２とよりなり、例えばプラスチックなどによって一体に形成されたものにより構成することができる。
【００１４】
そして、このマッサージ具１０は、身体の正面から肩口を通って背面に至る経路にハンドル１１を沿わせ、このハンドル１１の後端に設けられた支点球１３を身体の正面、例えば腹部などにおいて手で支えるまたは腹部そのものに押し付けることにより保持したときに、当該支点球１３を支点として、ハンドル１１において任意に選択される力点に身体の正面方向に向かう力を作用させることにより、マッサージヘッド１２によって身体の背面を押圧することができるものである。
以下において、マッサージ具１０を身体の正面から肩口を通って背面に至る経路にハンドルを沿わせ、マッサージヘッド１２を身体の背面に接触させた状態を「標準使用状態」という。
【００１５】
ハンドル１１は、身体の正面から肩口を通って背面に至る経路に沿って伸びるよう湾曲した形状であれば特に制限されないが、具体的には、例えば、Ｃ字状のものとすることができる。
ハンドル１１の端面形状は、目的とする使用状態において身体の正面方向に力を加えやすい形状であれば特に制限されないが、特に手で握りやすい形状であることが好ましく、例えば円形または楕円形とされていることが好ましい。
また、このハンドル１１においては、その内側面に小突起１９が単数または複数固設されていてもよく、このような小突起１９が形成されているハンドル１１によれば、マッサージのための力を加える力点としてこの小突起１９を選択してこれを手で押す行為により、当該手にも便乗してマッサージ効果が得られ、また、マッサージのための力を加える力点として小突起１９に隣接する点を選択してこれに手を引っ掛けてハンドル１１を押す場合に、この小突起１９が滑り止めとして作用し、確実にハンドル１１を押すことができ、従って確実に患部を押圧することができる。
【００１６】
マッサージヘッド１２は、平板上の基台１２Ｃと、この基台１２Ｃ上に当該基台１２Ｃから垂直方向に伸びるよう固設された、複数の鋸歯状の突起、具体的には２つの鋸歯大突起１２Ａおよび４つの鋸歯小突起１２Ｂの合計６つの突起とよりなるものとすることができ、このマッサージヘッド１２は、ハンドル１１に対して、標準使用状態において基台１２Ｃが身体の背面と略平行な状態となり、かつ、当該マッサージヘッド１２の突起が形成された面がハンドル１１の内側面に対向する状態となるよう、設けられている。
【００１７】
このマッサージ具１０は、分解可能に構成されたものとすることができ、具体的には、例えばハンドル１１の上部分を構成する上部ハンドル１１Ａと、当該ハンドル１１の下部分を構成する下部ハンドル１１Ｂとが、ジョイント部１８を介して連結された構造を有するものとすることができる。
ジョイント部１８は、具体的には、下部ハンドル１１Ｂの先端に設けられたジョイントカバー１８Ａと、上部ハンドル１１Ａの後端に設けられたネジ部１８Ｂが螺合することにより、連結させることができる構造を有するものとすることができる。
ハンドル１１において、ジョイント部１８が形成される位置は、ハンドル１１が直線状である位置であれば特に限定されるものではないが、分解したときに上部ハンドル１１Ａおよび下部ハンドル１１Ｂの大きさ（長さ）や形状が揃う位置であることが好ましい。
【００１８】
ハンドル１１、マッサージヘッド１２および支点球１３を構成する材料としては、特に限定されず、各々、金属材料、樹脂材料、木材などの種々の材料を用いることができ、例えばプラスチックスや木材などの、軽量でかつ弾性を有さないものを用いることが好ましい。
【００１９】
本発明のマッサージ具１０の一構成例は、以下に示す通りである。
標準使用状態における上下方向（図１におけるＬ１）の寸法が４２ｍｍ、左右方向（図１におけるＬ２）の寸法が２９ｍｍ、厚み方向（図２におけるＬ３）の最大寸法が５ｃｍ、ハンドル１１の径がφ１．９ｃｍ、支点球１３の外径がφ３．２ｃｍ、小突起１９の外径がφ１．４ｃｍ、マッサージヘッド１２の鋸歯大突起１２Ａが高さ１．７ｃｍ、鋸歯小突起１２Ｂが高さ１．３ｃｍである。また、このマッサージ具１０の総重量が３５０ｇ程度である。
【００２０】
このようなマッサージ具１０は、例えば、図８に示すように、標準使用状態において、当該マッサージ具１０の支点球１３が腹部付近に位置する状態でマッサージヘッド１２を身体の背面の患部に接触するよう位置させ、前記支点球１３を一方の手で支持して固定すると共にハンドル１１における支点球１３から離間した箇所を力点として選択して他方の手で押すまたは引いて身体の正面方向に向かう力を加えることにより、マッサージヘッド１２によって患部が押圧されてマッサージされるよう使用される。
【００２１】
本発明のマッサージ具１０の具体的な使用方法は、上記の方法に限定されるものではなく、例えば、図９に示すように、当該マッサージ具１０のハンドル１１を身体の正面から脇を通って背面に至る経路に沿わせると共に、支点球１３が胸部付近に位置する状態でマッサージヘッド１２を身体の背面の患部に接触するよう位置させ、前記支点球１３を一方の手で掴んで固定すると共にハンドル１１における支点球１３から離間した箇所を力点として選択して他方の手で押すまたは引いて身体の正面方向に力を加えることにより、マッサージヘッド１２によって患部が押圧されてマッサージされるよう使用することもできる。
【００２２】
以上のようなマッサージ方法においては、いずれの方法においても、患部の位置が背面にあることにかかわらず、小さな力によっても大きな力で押圧することができる。
【００２３】
以上のようなマッサージ具１０によれば、身体の正面から肩口を通って背面に至る経路に沿って伸びるよう湾曲した形状を有するハンドル１１を有するために、前記経路にハンドル１１を沿わせ、当該ハンドル１１の後端の支点球１３を身体の正面において保持し、これを支点として、当該支点から離間したハンドル１１上の点を任意に力点に選択し、当該力点に身体の正面方向に向かう力を作用させることにより、てこの原理によりマッサージヘッド１２が作用点となって身体の背面を小さな力によっても大きな力で押圧することができ、結局、軽く操作するだけで強いマッサージ効果が得られるために、特に力の弱い若年者や老人にとって、高い利便性が得られる。
【００２４】
また、マッサージヘッド１２が基台１２Ｃ上に鋸歯大突起１２Ａおよび鋸歯小突起１２Ｂが形成されてなる構成によれば、広範囲にわたって押圧することができるために、視認することのできない身体の背面であっても、所望の部位を確実に押圧することができる。
さらに、ハンドル１１が分解可能である構成によれば、当該マッサージ具１０を分解したときに十分に小型のものとなるよう構成することができるので、収納を良好に行うことができ、また、運搬に便利でこれを携帯して必要なときにマッサージを行うことができる。
【００２５】
以上、本発明の実施形態について説明したが、本発明は上記の実施形態に限定されるものではなく、種々の変更を加えることができる。
例えば、ハンドルに係る湾曲の程度などの具体的構成は、目的に応じて適宜に設計変更することができる。
また、マッサージヘッドは、平板状の基台上に複数の鋸歯状の突起が形成されてなる形状のものに限定されず、楕円球状、団子状などの形状のものであってもよく、ローラよりなるものであってもよい。
また、本発明のマッサージ具は、複数種類のマッサージヘッドを患部の位置やマッサージ方法によって交換することのできる構成とされていてもよい。このような構成のものにおいては、マッサージヘッドをハンドルの先端にネジによって固定する構成とすればよい。
【００２６】
また、本発明のマッサージ具の使用方法および適用すべき患部についての制約は実質上なく、使用者自身が自由に利用することができる。
例えばマッサージヘッドによって患部を押圧する必要はなく、下記（１）〜（８）のように支点球、小突起などによって患部を押圧してもよい。
また例えば、下記（９）のようにてこの原理を利用せずに使用してもよい。
さらに例えば、分解した状態で使用してもよい。
【００２７】
（１）支点球によって腹部、下腹部、首筋などを押圧する。
（２）支点球によって肩を叩く。
（３）ハンドルを小突起が脇腹にあてがわれるよう沿わせ、小突起によって脇腹を押圧するあるいは押圧しながら上下方向または左右方向に動かす。
（４）ハンドルを小突起が首の後ろにあてがわれるよう沿わせ、当該小突起によって首筋を押圧するあるいは押圧しながら上下方向または左右方向に動かす。
（５）ハンドルを小突起が肩口にあてがわれるよう沿わせ、当該小突起によって肩を上方向から押圧する。
（６）椅子などに座った状態でハンドルを小突起が大腿部の表側にあてがわれるよう沿わせ、当該小突起によって大腿部の表側を上方向から押圧する。
（７）椅子などに座った状態でハンドルを小突起が大腿部の裏側にあてがわれるよう沿わせ、当該小突起によって大腿部の表側を押圧するあるいは押圧しながら上下方向または左右方向に動かす。
（８）椅子などに座った状態でハンドルを小突起がふくらはぎにあてがわれるよう沿わせ、当該小突起によってふくらはぎを押圧するあるいは押圧しながら上下方向または左右方向に動かす。
（９）床面などに座って脚を伸ばし、足首を立てた状態でマッサージヘッドを足の裏にあてがい、ハンドルを身体の方向に引いて足の裏を押圧する。
【図面の簡単な説明】
【００２８】
【図１】本発明のマッサージ具の一例における構成を示す正面図である。
【図２】図１に示すマッサージ具の右側面図である。
【図３】図１に示すマッサージ具の左側面図である。
【図４】図１に示すマッサージ具の平面図である。
【図５】図１に示すマッサージ具の底面図である。
【図６】図１に示すマッサージ具の斜視図である。
【図７】図１に示すマッサージ具の分解斜視図である。
【図８】本発明のマッサージ具の使用例を示す説明図である。
【図９】本発明のマッサージ具の別の使用例を示す説明図である。
【符号の説明】
【００２９】
１０  マッサージ具
１１  ハンドル
１１Ａ  上部ハンドル
１１Ｂ  下部ハンドル
１２  マッサージヘッド
１２Ａ  鋸歯大突起
１２Ｂ  鋸歯小突起
１２Ｃ  基台
１３  支点球
１８  ジョイント部
１８Ａ  ジョイントカバー
１８Ｂ  ネジ部
１９  小突起
【図１】
2009279020.tif 000003
【図２】
2009279020.tif 000004
【図３】
2009279020.tif 000005
【図４】
2009279020.tif 000006
【図５】
2009279020.tif 000007
【図６】
2009279020.tif 000008
【図７】
2009279020.tif 000009
【図８】
2009279020.tif 000010
【図９】
2009279020.tif 000011